(57)【要約】【課題】太陽光発電パネルや二次電池、および、発光体が設置される空間部内の空気の換気を行い得るようにする。【解決手段】支柱２に装着される連結部材３と、この連結部材に装着された基体４と、この基体との間に空間部Ｓを形成するトップカバー５と、空間部に設置される太陽光発電パネル６、電力を蓄える二次電池７、この二次電池の電力によって発光させられる発光体８、および、電力を制御する制御手段９を備え、トップカバーが太陽光発電パネル上に重畳させられているとともに、これらのトップカバーおよび太陽光発電パネルが、その周縁部において環状の支持リング１０によって一体に支持され、この支持リングが、スペーサー１１によって、基体に隙間を形成して連結され、基体に、その内外部を連通する通気部が形成されている。【選択図】図１
2018142499.tif 000002
【特許請求の範囲】
【請求項１】
地面に立設される支柱の先端部に装着される防犯ユニットであって、前記支柱に着脱可能に装着される連結部材と、この連結部材に装着され、上方が開放された基体と、この基体の上部を覆って設けられ、この基体との間に空間部を形成する透光性を有するトップカバーと、前記空間部に設置される、太陽光を電気エネルギーへ変換する太陽光発電パネル、この太陽光発電パネルによって発電された電力を蓄える二次電池、この二次電池から供給される電力によって発光させられる発光体、および、この二次電池から前記発光体への電力供給を制御する制御手段を備え、前記トップカバーが前記太陽光発電パネル上に重畳させられているとともに、これらのトップカバーおよび太陽光発電パネルが、その周縁部において環状の支持リングによって一体に支持され、この支持リングと前記基体が、これらの間に隙間を形成するスペーサーを介して連結され、前記基体に、その内外部を連通する通気部が形成されていることを特徴とする防犯ユニット。
【請求項２】
前記太陽光発電パネルの下面と前記支持リングの下面とが略同一面に位置させられていることを特徴とする請求項１に記載の防犯ユニット。
【請求項３】
前記通気部が、前記基体の側面に形成された通気口と、前記基体に前記通気口を覆って装着され、下方へ向かって開放された多数の開口が形成されたフードと、このフードと前記基体との間に介装された通気性を有するフィルターとによって構成されていることを特徴とする請求項１または請求項２に記載の防犯ユニット。
【請求項４】
前記基体と前記支持リングとの間に形成された隙間に、通気性を有するサイドカバーが装着されていることを特徴とする請求項１ないし請求項３の何れかに記載の防犯ユニット。
【請求項５】
前記発光体がＬＥＤであることを特徴とする請求項１ないし請求項４の何れかに記載の防犯ユニット。
【請求項６】
前記基体が、下方が小径となる略円錐台形状となされていることを特徴とする請求項１または請求項５の何れかに記載の防犯ユニット。
【請求項７】
前記基体内に、前記二次電池からの電力供給を受けて前記制御手段によって制御される撮像機が装着されていることを特徴とする請求項１ないし請求項６の何れかに記載の防犯ユニット。
【発明の詳細な説明】
【技術分野】
【０００１】
本発明は、夜間の敷地や街路の照明に用いられる防犯ユニットに関するものである。
【背景技術】
【０００２】
一般に、防犯を目的として、夜間の敷地や街路を照明によって明るくすることが行なわれている。
このような照明装置においては、その多くが、照明に必要な電力を外部から供給しており、その電力供給のために電力線を架設若しくは敷設しなければならない。
【０００３】
このために、設置の費用が嵩むだけでなく、照明装置が損傷した場合、前記電力線を含めた補修となり、その費用も嵩んでしまうといった問題点がある。
【０００４】
また、照明装置が設置された地域が停電した場合、照明できずに防犯機能が果たせなくなってしまうといった問題点もある。
【０００５】
このような問題点に対処すべく、従来では、たとえば、特許文献１に示される技術が提案されている。
【０００６】
この技術は、底面に開口を有した略トレイ状の灯具本体ケースの上面開放の収納空間に、前記開口に対応するＬＥＤからなる光源部と蓄電池からなり前記光源部に給電する電源部と前記光源部と前記電源部を制御する制御部とを配置した上面開放の灯具本体と、前記灯具本体ケースにヒンジを介して連結された天蓋とからなり、前記天蓋は、灯具本体の上面に対応位置し、上方片面を受光面として太陽光発電した電気を前記電源部に送電するソーラーパネルと、光透過性のある透明板からなり、上方に凸の曲面を呈して前記ソーラーパネルの上方を覆うドーム状カバーと備え、該天蓋が前記灯具本体ケースの前記収納空間を開閉可能に覆った構成としたものである。
【０００７】
このような従来の技術によって、太陽光発電によって得られた電力を使用して照明を行うことにより、外部からの電力供給を不要にして、電力線の設置費用を軽減し、また、停電時における機能停止といった不具合の発生を解消することができるようになった。
【０００８】
しかしながら、前述した従来の技術では、ソーラーパネルや電源部、および、照明を行う光源部を、灯具本体と天蓋とで形成される空間部内に組み込んだ構成としていることから、特に、前記電源部や光源部から発せられる熱が、前記空間部に滞留し、あるいは、太陽光を受けて前記空間部内の空気が熱せられることにより、前記空間部内温度が上昇してしまう。
【０００９】
このように、前記空間部内温度が上昇すると、前記ソーラーパネルの発電効率の低下、あるいは、光源部や電気回路の劣化等を誘発するおそれがある。
【００１０】
このような想定される不具合を解消するために、従来では、さらに、特許文献２に示される技術が提案されている。
【００１１】
この技術は、灯具本体の閉塞空間部内の熱を、外部へ露出させられているケースもしくは支柱へ伝えるとともに、これらのケースや支柱から外気へ放出することにより、前記空間部内の温度上昇を抑制するようにしている。
【先行技術文献】
【特許文献】
【００１２】
【特許文献１】特開２０１２−２２７１０５号公報
【特許文献２】特開２０１２−１８１９９２号公報
【発明の概要】
【発明が解決しようとする課題】
【００１３】
しかしながら、前記特許文献２に示された技術では、前記ケースもしくは支柱からの放熱量は、これらの熱伝導率等により制限される。
したがって、熱伝導によって、前記空間部の熱の増加量以上の放熱量を確保することは極めて難しく、有効な解決手段とはなり得ていない。
【００１４】
本発明は、このような従来の技術において残されている問題点に鑑みなされたもので、太陽光発電パネルや二次電池、および、発光体が設置される空間部内の空気の換気を自然対流によって行ない得るようにして、前記空間部内の熱を積極的に外部へ排出し、これによって、前記太陽光パネルの発電効率の低下、また、前記発光体や電気回路の劣化等を防止することを解決すべき課題とする。
【課題を解決するための手段】
【００１５】
本発明の防犯ユニットは、前述した課題を解決するために、地面に立設される支柱の先端部に装着される防犯ユニットであって、前記支柱に着脱可能に装着される連結部材と、この連結部材に装着され、上方が開放された基体と、この基体の上部を覆って設けられ、この基体との間に空間部を形成する透光性を有するトップカバーと、前記空間部に設置される、太陽光を電気エネルギーへ変換する太陽光発電パネル、この太陽光発電パネルによって発電された電力を蓄える二次電池、この二次電池から供給される電力によって発光させられる発光体、および、この二次電池から前記発光体への電力供給を制御する制御手段を備え、前記トップカバーが前記太陽光発電パネル上に重畳させられているとともに、これらのトップカバーおよび太陽光発電パネルが、その周縁部において環状の支持リングによって一体に支持され、この支持リングと前記基体が、これらの間に隙間を形成するスペーサーを介して連結され、前記基体に、その内外部を連通する通気部が形成されていることを特徴とする。
【００１６】
本発明の防犯ユニットは、地面に立設される支柱の先端に、前記連結部材を介して取り付けられ、前記支柱とともに目的とする敷地や街路に設置される。
【００１７】
昼間において、太陽光が照射されると、この太陽光が前記トップカバーを透過して、その下部に設置されている前記太陽光発電パネルへ到達することによって、この太陽光発電パネルにおいて電力が生成される。
【００１８】
このように生成された電力は、前記二次電池に蓄積され、夜間等、設置位置の周辺が暗くなった際に、前記発光体へ供給されてこの発光体の発光に供される。
【００１９】
前記防犯ユニットへの太陽光の照射や内部機器の発熱によって、前記基体とトップカバーとの間に形成されている空間部内の空気が加熱され、前記空間部内に上昇気流が発生する。
【００２０】
この上昇気流は、前記空間部内において、前記トップカバーの下部に位置させられている前記太陽光発電パネルの下面に到達する。
【００２１】
ここで、前記トップカバーおよび太陽光パネルを支持する前記支持リングと前記基体との間に隙間が形成されていることにより、前記太陽光発電パネルの下面に到達した気流は、この太陽光発電パネルの下面によって前記隙間へ向かって流れ、さらに、この隙間から外部へと流出する。
【００２２】
一方、このように前記空間部内の空気が外部へ流出すると、この空間部内に圧力低下が生じるが、前記基体に、この基体の内外部を連通する通気部が形成されていることにより、この通気部を介して外部の空気が前記空間部内へ引き込まれる。
【００２３】
このような空間部内外の圧力差と前記気流による自然対流によって、前記空間部内の換気が連続して行なわれる。
【００２４】
このような換気作用により、前記空間部内の熱が外部へ放出され、この空間部内の温度上昇が抑制される。
【００２５】
これによって、前記空間部内に設置されている諸機器の温度上昇が効果的に抑制され、これらの健全性が確保される。
【００２６】
しかも、前記気流が、前記太陽光発電パネルの下面に沿って形成されることから、この気流により前記太陽光発電パネルの冷却が行なわれる。
したがって、熱的影響によって発電効率が大きく変化する太陽光発電パネルの温度上昇を抑制して、その発電効率の低下を防止し、かつ、安定化させることができる。
【００２７】
そして、前記太陽光発電パネルの下面と前記支持リングの下面とを略同一面に位置させることが好ましい。
【００２８】
このような構成とすることにより、前記支持リングと前記太陽光発電パネルとの重畳量を確保しつつ、この支持リングの下面と前記太陽光発電パネルの下面とを連続させ、これによって、前記太陽光発電パネルの下面に沿った前記気流を、前記支持リングの下方に形成される前記隙間へ円滑に導き外部への流出を円滑にする。
この結果、前述した空間部の換気が効果的に行なわれる。
【００２９】
前記通気部は、前記基体の側面に形成された通気口と、前記基体に前記通気口を覆って装着され、下方へ向かって開放された多数の開口が形成されたフードと、このフードと前記基体との間に介装された通気性を有するフィルターとによって構成することができる。
【００３０】
このような構成とすることにより、下方へ向けられた前記開口の向きによって、前記通気部から流れ込む空気の流れを変え、これによって、雨天の際に、前記通気部に流れ込もうとする水滴の運動エネルギーを減衰させて、この水滴が前記基体内へ流入することを防止することができる。
【００３１】
さらに、前記水滴が前記フードを通過したとしても、この水滴を前記フィルターによって捕獲して滴下させることができるので、この水滴の前記基体内への流入をさらに効果的に防止することができる。
【００３２】
さらに、前記基体と前記支持リングとの間に形成された隙間に、通気性を有するサイドカバーを装着することが好ましい。
【００３３】
このような構成とすることにより、前記隙間から前記基体内に虫等が侵入することを防止することができるとともに、前記サイドカバーの通気孔により通気を確保しつつ水滴の浸入を抑制することができる。
【００３４】
そして、前記発光体をＬＥＤとすることにより、この発光体の発熱量を抑制するとともに、消費電力を抑制して二次電池の負荷を軽減することができる。
【００３５】
また、前記基体を、下方が小径となる略円錐台形状とすることが好ましい。
このような構成とすることにより、風に対する抵抗を軽減することができ、防犯ユニットの耐風性能を向上させることができる。
【００３６】
さらに、前記基体内に、前記二次電池からの電力供給を受けて前記制御手段によって制御される撮像機を装着することもできる。
【００３７】
このような構成とすることにより、昼間においては太陽光による明かりをもとに、また、夜間等においては前記発光体による明かりをもとに、設置場所周辺の撮像を行なうことができる。
【発明の効果】
【００３８】
本発明の防犯ユニットによれば、外部電源を不要にして、設置や保守点検の作業を簡便なものとしつつ、防犯ユニット内の温度上昇を効果的に抑制してその熱に対する健全性を確保することができる。
【図面の簡単な説明】
【００３９】
【図１】本発明の第１の実施形態を示す外観図である。
【図２】本発明の第１の実施形態の正面図である。
【図３】本発明の第１の実施形態を示す縦断面図である。
【図４】本発明の第１の実施形態を示すもので、トップカバーおよび太陽光発電パネルと支持リングとの固定部を示す拡大断面図である。
【図５】本発明の第１の実施形態を示すもので、支持リングと基体との連結部分を示す拡大断面図である。
【図６】本発明の第１の実施形態を示すもので、通気部を構成するフードとフィルターを示す分解斜視図である。
【図７】本発明の第２の実施形態を示す正面図である。
【図８】本発明の変形例を示す外観図である。
【発明を実施するための形態】
【００４０】
以下、本発明の第１の実施形態について、図１ないし図６を参照して説明する。
これらの図において符号１は、本実施形態に係わる防犯ユニットを示す。
【００４１】
この防犯ユニット１は、地面に立設される支柱２の先端部に装着される防犯ユニット１であって、前記支柱２の先端に着脱可能に被嵌されて固定される連結部材３と、この連結部材３に装着され、上方が開放された基体４と、この基体４の上部を覆って設けられ、この基体４との間に空間部Ｓ（図３参照）を形成する透光性を有するトップカバー５と、前記空間部Ｓに設置される、太陽光を電気エネルギーへ変換する太陽光発電パネル６、この太陽光発電パネル６によって発電された電力を蓄える二次電池７、この二次電池７から供給される電力によって発光させられる発光体８、および、この二次電池７から前記発光体８への電力供給を制御する制御手段９を備え、前記トップカバー５が前記太陽光発電パネル６上に重畳させられているとともに、これらのトップカバー５および太陽光発電パネル６が、その周縁部において環状の支持リング１０によって一体に支持され、この支持リング１０と前記基体４が、これらの間に隙間Ｇを形成するスペーサー１１を介して連結され、前記基体４に、その内外部を連通する通気部１２が形成された構成となっている。
【００４２】
前記連結部材３は筒状に形成され、その内部に前記支柱２の先端部が嵌合させられるような内径とされ、その外側壁には、複数のロックボルト１３が放射状に装着されている。
【００４３】
これらのロックボルト１３は、前記連結部材３の内部へ突出可能に、前記連結部材３に螺着されており、前記転結部材３の内側に嵌合させられる前記支柱２の外面に圧接させられることにより、この支柱２と前記連結部材３とを固定するようになっている。
【００４４】
また、前記連結部材３の上端部には、外方フランジ３ａが一体に形成されており、この外方フランジ３ａに前記基体４の下部が連結されている。
【００４５】
前記基体４は、下方が小径となる円錐台形状に形成されており、その下方の小径部において前記連結部材３の外方フランジ３ａ上に載置されるとともに、連結ボルト１４によって一体に連結されている。
【００４６】
さらに、前記基体４の上方の大径部には外方フランジ４ａが一体に形成されている。
【００４７】
一方、前記基体４の内部中央には、前記二次電池７、および、制御手段９がステート等を介して装着されており、また、前記基体４の周壁には、前記発光体８、および、前記通気部１２が設けられている。
【００４８】
前記発光体８は、前記基体４の周壁で、その軸線回りに所定間隔おいて装着されており、その投光部が前記周壁の外面に露出され、かつ、前記周壁との間が防水処理されている。
【００４９】
前記通気部１２は、前記発光体８が設けられた部位の間に形成された通気孔１２ａと、図６に示すように、下方へ向かう開口１５ａが複数形成されたフード１５と、このフード１５に重畳させられて前記複数の開口１５ａを内側から覆う通気性を有するフィルター１６とによって構成されている。
【００５０】
そして、前記フード１５の内側に前記フィルター１６を重ね合わせた状態で、これらを前記基体４の外面に、前記通気孔１２ａを覆うようにして装着することにより前記通気部１２を構成するようになっている。
【００５１】
前記フード１５は、図２に示すように、前記基体４の外面にボルト１７によって装着されるが、このフード１５と前記基体４の外面との間に防水処理が施される。
【００５２】
前記トップカバー５は、アクリルやポリカーボネート等の透光性を有する材料によって球殻状に形成され、かつ、その周縁部が外方フランジ５ａとなされている（図４および図５参照）。
【００５３】
前記太陽光発電パネル６は前記トップカバー５の前記外方フランジ５ａの外径とほぼ同等の外径を有する円盤状に形成されており、前記トップカバー５の外方フランジ５ａの下面に重畳させられるようになっている。
【００５４】
前記支持リング１０は、図４および図５に示すように、その断面が、前記外方フランジ５ａの上面に対峙させられる水平部１０ａと、この水平部１０ａと直角となるように形成され、前記外方フランジ５ａの周側面に対峙させられる垂直部１０ｂとによってＬ字状に形成されている。
【００５５】
そして、前記垂直部１０ｂの内面の高さが、前記トップカバー５の外方フランジ５ａと前記太陽光発電パネル６を重ね合わせた際の厚みとほぼ同等なるように設定されている。
【００５６】
また、前記支持リング１０の前記垂直部１０ｂの下面には、前記支持リング１０の中心へ向かって突出するステー１８が、図４に示すように、一体に設けられている。
【００５７】
そして、前記ステー１８は、前記支持リング１０の周方向に間隔をおいた複数箇所に設けられており、それぞれのステー１８には、係止プレート１９がボルト・ナットからなる止着具２０によって装着されている。
【００５８】
前記係止プレート１９は、前記ステー１８よりも前記支持リング１０の内側に突出し得る長さに形成されており、前記支持リング１０の前記水平部１０ａに重畳させられる前記トップカバー５と前記太陽光発電パネル６の、前記太陽光発電パネル６の下面に対峙させられるようになっている。
【００５９】
前記係止プレート１９と前記太陽光発電パネル６の下面との間にはシム２１が介装されており、前記係止プレート１９を前記止着具２０によって前記ステー２８に螺着することによって、前記シム２１を前記太陽光発電パネル６の下面に圧着させることにより、前記支持リング１０の内側に、前記トップカバー５と前記太陽光発電パネル６を固定するようになっている。
【００６０】
このように固定された状態において、前記太陽光発電パネル６の下面と前記支持リング１０の下面とが、図５に矢印（イ）（ロ）で示すように、同一面内に位置させられている。
【００６１】
さらに、前記支持リング１０の垂直部１０ｂの下面には、前記ステー１８から間隔をおいた位置に、図５に示すように、所定高さの前記スペーサー１１が一体に取り付けられている。
【００６２】
これらのスペーサー１１は、前記支持リング１０の垂直部１０ｂから下方へ向かう垂直部１１ａと、この垂直部１１ａの下方から前記支持リング１０の中心部へ向かう水平部１１ｂを備えている。
【００６３】
そして、前記スペーサー１１は、その水平部１１ｂが前記基体４の上部に形成されている前記外方フランジ４ａに当接させられるとともに、この外方フランジ４ａにボルト・ナットからなる止着具２２によって固定されることにより、前記支持リング１０を、前記基体４の上端部との間に所定隙間Ｇを保持した状態で前記基体４に固定するようになっている。
【００６４】
一方、前記支柱２の下部には、この支柱２を地面に固定するためのアンカー構成体２３が固定されている。
【００６５】
このアンカー構成体２３は、前記支柱２の下端部に放射状に取り付けられた複数の下部連結ロッド２４と、前記支柱２を囲繞して配置され、前記下部連結ロッド２４に固定された下部リング２５と、前記支柱２の、前記下部連結ロッド２４と間隔をおいた位置に放射状に取り付けられた複数の上部連結ロッド２６と、前記支柱２を囲繞して配置され、前記上部連結ロッド２６に固定された上部リング２７と、前記下部リング２５と前記上部リング２７とを連結する複数の縦ロッド２８とによって構成されている。
【００６６】
このように構成された本実施形態の防犯ユニット１は、前記支柱２の先端に前記連結部材３によって装着され、前記支柱２を、その下部に設けられている前記アンカー構成体２３を地面に埋め込むことにより、目的の位置に所定高さで設置される。
【００６７】
そして、太陽光が得られる状況において、前記太陽光発電パネル６によって発電された電力が前記二次電池７へ蓄えられ、この電力が、夜間等において前記発光体８の発光に用いられる。
【００６８】
これによって、設置場所の周辺が、防犯ユニット１からの照明によって明るく照らされて、夜間等の防犯に供される。
【００６９】
このような照明において、防犯ユニット１内で生成されて蓄えられた電力が用いられることにより、外部電力を不要にして、その設置コストを軽減し、かつ、停電時等においても防犯作用を確保することができる。
【００７０】
そして、前記防犯ユニット１への太陽光の照射や内部機器の発熱によって、前記基体４とトップカバー５との間に形成されている空間部Ｓ内の空気が加熱される。
【００７１】
この内部空気の温度上昇により、前記空間部Ｓ内に上昇気流が生成され、この上昇気流は、前記トップカバー５の下部に位置させられている前記太陽光発電パネル６の下面に到達し、この太陽光発電パネル６の下面に沿って流れて、前記隙間Ｇから外部へ流出する。
【００７２】
一方、このように前記空間部Ｓ内の空気が外部へ流出すると、この空間部Ｓ内に圧力低下が生じ、これに伴って、前記通気部１２を介して外部の空気が前記空間部Ｓ内へ引き込まれる。
【００７３】
このような空間部Ｓ内外の圧力差と、前述した気流によって、図３に矢印で示すように、前記空間部Ｓ内の換気が連続して行なわれる。
【００７４】
このような換気作用により、前記空間部Ｓ内の熱が外部へ放出され、この空間部Ｓ内の温度上昇が抑制される。
ちなみに、外気温度が３５℃の環境下において内部温度の変化を測定したところ、その内部温度は４０℃未満に維持されていることが確認された。
【００７５】
これによって、前記空間部Ｓ内に設置されている諸機器の温度上昇が効果的に抑制され、これらの健全性が確保される。
【００７６】
特に、前記気流が、前記太陽光発電パネル６の下面に沿って形成されることから、前記太陽光発電パネル６が効果的に冷却され、熱的影響によって発電効率が大きく変化する太陽光発電パネル６の温度上昇が抑制されて、その発電効率の低下が防止され、かつ、安定化する。
この結果、防犯効果を安定して継続的に維持することができる。
【００７７】
なお、前記実施形態において示した各構成部材の諸形状や寸法等は一例であって、設計要求等に基づき種々変更可能である。
【００７８】
たとえば、前記基体４に撮像装置を設置しておき、この撮像装置を、前記二次電池７の電力を用いて作動させることにより、防犯ユニット１が設置された周辺の状況を画像として情報収集することができる。
【００７９】
また、図７に示すように、前記隙間Ｇに、通気性を有するサイドカバー２９を装着して、前記隙間Ｇを覆うようにすることもできる。
これによって、防犯ユニット１内部への虫の侵入を防止することができ、あるいは、雨天時の水滴の浸入も抑制することができる。
【００８０】
また、前記フード１５と前記フィルター１６を、前記基体４の外面側に装着する例について示したが、内側から装着するようにしてもよい。
【００８１】
さらに、図８に示すように、前記支柱２の下部に設けられるアンカー構成体３０の下部リング３１を、前記支持リング１０の外径Ｄとほぼ等しい外径とするとともに、前記支柱２の下端より下方に位置させ（図に、符号Ｈで示した距離下方）、かつ、前記下部リング３０と前記支柱２とを連結する下部連結ロッド３２を、前記支柱２と直交する面に対して傾斜させ、さらに、前記下部リング３１と前記上部リング２７とを連結する縦ロッド３３を鉛直方向に対して傾斜させた構成とすることもできる。
【００８２】
このような構成とすることにより、前記支柱２の倒れ方向に対する強度を高めることができる。
【符号の説明】
【００８３】
１  防犯ユニット
２  支柱
３  連結部材
３ａ  外方フランジ
４  基体
４ａ  外方フランジ
５  トップカバー
５ａ  外方フランジ
６  太陽光発電パネル
７  二次電池
８  発光体
９  制御手段
１０  支持リング
１０ａ  水平部
１０ｂ  垂直部
１１  スペーサー
１１ａ  垂直部
１１ｂ  水平部
１２  通気部
１２ａ  通気孔
１３  ロックボルト
１４  連結ボルト
１５  フード
１５ａ  開口
１６  フィルター
１７  ボルト
１８  ステー
１９  係止プレート
２０  止着具
２１  シム
２２  止着具
２３  アンカー構成体
２４  下部連結ロッド
２５  下部リング
２６  上部連結ロッド
２７  上部リング
２８  縦ロッド
２９  サイドカバー
３０  アンカー構成体
３１  下部リング
３２  下部連結ロッド
３３  縦ロッド
Ｇ  隙間
Ｓ  空間部
【図１】
2018142499.tif 000003
【図２】
2018142499.tif 000004
【図３】
2018142499.tif 000005
【図４】
2018142499.tif 000006
【図５】
2018142499.tif 000007
【図６】
2018142499.tif 000008
【図７】
2018142499.tif 000009
【図８】
2018142499.tif 000010